(57)【特許請求の範囲】
【請求項１】
スイッチ部、メインプロセッサ部、ルーティングプロセッサ部、及び複数の回線部からなる回線部群を有する、コネクション型レイヤ２のスイッチングシステムにおけるルート情報設定方法において、
ルーティングプロセッサ部において、ルーティング・プロトコルを処理した結果、新たなＬ３宛先アドレスと出力回線番号の組み合わせが発生したとき、ルーティングプロセッサ部が、情報識別番号及びマッピング設定用パスのスイッチング識別番号を付加し、レイヤ３のＬ３宛先アドレスと出力回線番号を組み合わせてマッピング設定用パケットを生成する処理と、
マッピング設定用パケットが、スイッチ部において複製された後、スイッチ部から、スイッチング識別子に従い全ての回線部及びメインプロセッサ部に送り出され、回線部で受け取られたパケットは、Ｌ２終端部においてスイッチング識別子を除かれ、Ｌ３−Ｌ２プロトコルマッピング部に送り出される処理と、
Ｌ３−Ｌ２マッピング部において、受け取ったマッピング設定用パケットの情報をもとにルート情報の設定を行い、ルーティングにおいての検索キーとして、Ｌ３アドレスを設定する処理と、
出力回線番号をもとに、Ｌ３−Ｌ２プロトコルマッピング部において、データパケットのＬ３宛先アドレスによるルート検索後に、データパケットのＬ２コネクション番号として書き換えられる、回線部のＬ２終端部において設定されている該当出力回線へスイッチングするスイッチング識別子が付加された、Ｌ２コネクション番号を設定する処理と、
該当する出力回線番号へのＬ２コネクション番号が設定されていないときは、ＮＵＬＬ情報を設定しておき、メインプロセッサ部と情報を共有するためにマッピング設定用パケットの情報識別番号を検索キーとして持って、該当するＬ２コネクション番号が設定されるのを待つ処理と、
メインプロセッサ部においてマッピング設定用パケットを受信したとき、マッピング設定用パケットの出力回線番号から、該当するコネクションが設定されているかどうかを判断し、該当するコネクションが設定されていない場合、回線部のＬ２終端部に対する新たなコネクションのスイッチング情報、及びＬ３−Ｌ２プロトコルマッピング部に対する情報識別番号に基づくＬ２終端部で終端されるＬ２コネクション番号をそれぞれ設定する処理とを有し、
ルート情報を管理するルーティングプロセッサ部とメインプロセッサ部のプロセッサ間通信を行うことなく、ルート情報を設定することを特徴とするルート情報設定方法。
【請求項２】
スイッチ部、メインプロセッサ部、ルーティングプロセッサ部、及び複数の回線部からなる回線部群を有する、コネクション型レイヤ２のスイッチングシステムにおけるルート情報設定装置において、
前記回線部は、
レイヤ２のＬ２コネクション番号から検索した固定長のスイッチング識別子を、パケットに付加し、また、スイッチ部から到着したパケットに付与されている固定長のスイッチング識別子を、削除し、回線部から出力されるパケットに対し、固定長の識別子から検索した新しいＬ２コネクション番号に置き換えるＬ２終端部と、
レイヤ３のＬ３宛先アドレスから検索した、レイヤ２のＬ２コネクション番号を書き換え、また、マッピング設定用パケットにより、レイヤ２のＬ２コネクション番号を書き換えるための、レイヤ３のＬ３宛先アドレスとレイヤ２のＬ２コネクション番号の組み合わせを設定するＬ３−Ｌ２プロトコルマッピング部と、
回線終端部から受け取った連続したデータから区切りを見つけ出して、パケットに分割し、区切り出したパケットを、レイヤ２のＬ２コネクション番号によりスイッチング処理する場合は、Ｌ２終端部にパケットを送り出し、レイヤ３のＬ３宛先アドレスによりルーティングを行う場合は、Ｌ３−Ｌ２プロトコルマッピング部にパケットを送り出し、また、Ｌ２終端部から受け取ったパケットを、パケットの区切りデータを挿入しながら、連続データとして回線終端部に送り出すパケット終端部と、
物理的な信号の終端、即ち、光や電気の信号の論理的な信号への変換を行い、連続した論理データをパケット終端部に送り出し、また、パケット終端部から受け取った連続したデータを物理的な信号に変換して、回線に送信する回線終端部とを有し、
スイッチ部は、回線部、ルーティングプロセッサ部及びメインプロセッサ部から受け取ったパケットを、固定長のスイッチング識別子によるスイッチングを行って、回線部、ルーティングプロセッサ部及びメインプロセッサ部に振り分け、
メインプロセッサ部は、プロセッサバスから、回線部、スイッチ部とルーティングプロセッサ部の状態設定を行い、また、レイヤ２のコネクション情報の管理／設定を行い、
ルーティングプロセッサ部は、レイヤ３のルート情報の管理を行い、また、レイヤ３の情報を載せたパケットを、スイッチ部を経て、回線部とメインプロセッサ部に対し送信し、
ルーティングプロセッサ部とメインプロセッサ部のプロセッサ間通信を行うことなく、ルート情報を設定することを特徴とするルート情報設定装置。
【発明の詳細な説明】
【０００１】
【発明の属する技術分野】
この発明は、ルート情報設定方法および装置に関し、特に、コネクション型のスイッチングシステムにおけるルート情報設定方法および装置に関する。
【０００２】
【従来の技術】
従来、コネクション型レイヤ２のスイッチングシステムにおけるルート情報設定装置が知られている。このルート情報設定装置は、スイッチ部、メインプロセッサ部、ルーティングプロセッサ部、及び回線部を有しており、回線部へのルート情報の設定は、全てメインプロセッサ部が行っている。
【０００３】
【発明が解決しようとする課題】
しかしながら、ルート情報の設定を全てメインプロセッサ部が行うため、メインプロセッサ部に処理が集中してしまうことになり、レイヤ２のコネクション番号と、コネクション・レス型レイヤ３のＬ３宛先アドレスのルート情報設定を行う場合、処理速度が低下するのが避けられなかった。
【０００４】
つまり、メインプロセッサ部は、ルート情報の取得のために、ルート情報を管理するルーティングプロセッサ部とプロセッサ間通信を行わなければならず、また、ルート情報を取得した後に、全ての回線部のＬ３−Ｌ２プロトコルマッピング部に対し、ルート情報の設定を行わなければならなかった。これは、メインプロセッサ部の能力低下を招き、結果的に、処理速度を低下させてしまうことになる。
【０００５】
この発明の目的は、メインプロセッサ部に処理が集中するのを回避して、メインプロセッサ部の能力低下を招かず処理速度を低下させることがないルート情報設定方法および装置を提供することである。
【０００６】
【課題を解決するための手段】
上記目的を達成するため、この発明に係るルート情報設定方法は、スイッチ部、メインプロセッサ部、ルーティングプロセッサ部、及び複数の回線部からなる回線部群を有する、コネクション型レイヤ２のスイッチングシステムにおけるルート情報設定方法において、ルーティングプロセッサ部において、ルーティング・プロトコルを処理した結果、新たなＬ３宛先アドレスと出力回線番号の組み合わせが発生したとき、ルーティングプロセッサ部が、情報識別番号及びマッピング設定用パスのスイッチング識別番号を付加し、レイヤ３のＬ３宛先アドレスと出力回線番号を組み合わせてマッピング設定用パケットを生成する処理と、マッピング設定用パケットが、スイッチ部において複製された後、スイッチ部から、スイッチング識別子に従い全ての回線部及びメインプロセッサ部に送り出され、回線部で受け取られたパケットは、Ｌ２終端部においてスイッチング識別子を除かれ、Ｌ３−Ｌ２プロトコルマッピング部に送り出される処理と、Ｌ３−Ｌ２マッピング部において、受け取ったマッピング設定用パケットの情報をもとにルート情報の設定を行い、ルーティングにおいての検索キーとして、Ｌ３アドレスを設定する処理と、出力回線番号をもとに、Ｌ３−Ｌ２プロトコルマッピング部において、データパケットのＬ３宛先アドレスによるルート検索後に、データパケットのＬ２コネクション番号として書き換えられる、回線部のＬ２終端部において設定されている該当出力回線へスイッチングするスイッチング識別子が付加された、Ｌ２コネクション番号を設定する処理と、該当する出力回線番号へのＬ２コネクション番号が設定されていないときは、ＮＵＬＬ情報を設定しておき、メインプロセッサ部と情報を共有するためにマッピング設定用パケットの情報識別番号を検索キーとして持って、該当するＬ２コネクション番号が設定されるのを待つ処理と、メインプロセッサ部においてマッピング設定用パケットを受信したとき、マッピング設定用パケットの出力回線番号から、該当するコネクションが設定されているかどうかを判断し、該当するコネクションが設定されていない場合、回線部のＬ２終端部に対する新たなコネクションのスイッチング情報、及びＬ３−Ｌ２プロトコルマッピング部に対する情報識別番号に基づくＬ２終端部で終端されるＬ２コネクション番号をそれぞれ設定する処理とを有し、ルート情報を管理するルーティングプロセッサ部とメインプロセッサ部のプロセッサ間通信を行うことなく、ルート情報を設定することを特徴としている。
【０００７】
上記構成を有することにより、スイッチ部、メインプロセッサ部、ルーティングプロセッサ部、及び複数の回線部からなる回線部群を有する、コネクション型レイヤ２のスイッチングシステムにおけるルート情報設定方法において、先ず、ルーティングプロセッサ部において、ルーティング・プロトコルを処理した結果、新たなＬ３宛先アドレスと出力回線番号の組み合わせが発生したとき、ルーティングプロセッサ部が、情報識別番号及びマッピング設定用パスのスイッチング識別番号を付加し、レイヤ３のＬ３宛先アドレスと出力回線番号を組み合わせてマッピング設定用パケットを生成する。次に、マッピング設定用パケットが、スイッチ部において複製された後、スイッチ部から、スイッチング識別子に従い全ての回線部及びメインプロセッサ部に送り出され、回線部で受け取られたパケットは、Ｌ２終端部においてスイッチング識別子を除かれ、Ｌ３−Ｌ２プロトコルマッピング部に送り出される。次に、Ｌ３−Ｌ２マッピング部において、受け取ったマッピング設定用パケットの情報をもとにルート情報の設定を行い、ルーティングにおいての検索キーとして、Ｌ３アドレスを設定する処理と、出力回線番号をもとに、Ｌ３−Ｌ２プロトコルマッピング部において、データパケットのＬ３宛先アドレスによるルート検索後に、データパケットのＬ２コネクション番号として書き換えられる、回線部のＬ２終端部において設定されている該当出力回線へスイッチングするスイッチング識別子が付加された、Ｌ２コネクション番号を設定する。次に、該当する出力回線番号へのＬ２コネクション番号が設定されていないときは、ＮＵＬＬ情報を設定しておき、メインプロセッサ部と情報を共有するためにマッピング設定用パケットの情報識別番号を検索キーとして持って、該当するＬ２コネクション番号が設定されるのを待つ。次に、メインプロセッサ部においてマッピング設定用パケットを受信したとき、マッピング設定用パケットの出力回線番号から、該当するコネクションが設定されているかどうかを判断し、該当するコネクションが設定されていない場合、回線部のＬ２終端部に対する新たなコネクションのスイッチング情報、及びＬ３−Ｌ２プロトコルマッピング部に対する情報識別番号に基づくＬ２終端部で終端されるＬ２コネクション番号をそれぞれ設定する。その結果、ルート情報を管理するルーティングプロセッサ部とメインプロセッサ部のプロセッサ間通信を行うことなく、ルート情報が設定される。これにより、メインプロセッサ部に処理が集中するのを回避して、メインプロセッサ部の能力低下を招かず処理速度を低下させることがない。
【０００８】
また、この発明に係るルート情報設定装置により、上記ルート情報設定方法を実現することができる。
【０００９】
【発明の実施の形態】
以下、この発明の実施の形態について図面を参照して説明する。
【００１０】
図１は、この発明の実施の形態に係るルート情報設定装置の構成を示すブロック図である。図１に示すように、コネクション型レイヤ２のスイッチングシステムのルート情報設定装置１０は、スイッチ部１１、メインプロセッサ部１２、ルーティングプロセッサ部１３、及び複数（１〜ｎ）の回線部１４からなる回線部群１４ａを有する。
【００１１】
スイッチ部１１は、各回線部１４、ルーティングプロセッサ部１３、メインプロセッサ部１２から受け取ったパケットを、固定長のスイッチング識別子によりスイッチングを行い、回線部１４、ルーティングプロセッサ部１３、メインプロセッサ部１２に振り分ける。メインプロセッサ部１２は、プロセッサバス１５から、回線部１４、スイッチ部１１とルーティングプロセッサ部１３の状態設定を行い、また、レイヤ２のコネクション情報の管理／設定を行う。
【００１２】
ルーティングプロセッサ部１３は、レイヤ３のルート情報の管理を行い、また、レイヤ３の情報を載せたパケットを、スイッチ部１１を経て、回線部１４とメインプロセッサ部１２に対し送信する。回線部１４は、レイヤ２のパケットのＬ２コネクション番号から検索した固定長のスイッチング識別子を、パケットに付加する。このスイッチング識別子は、スイッチ部１１でスイッチングするために用いられる。また、レイヤ３のＬ３宛先アドレスから、レイヤ２のＬ２コネクション番号を書き換える。
【００１３】
図２は、図１の回線部の構成を示すブロック図である。図２に示すように、回線部１４は、Ｌ２終端部１６、Ｌ３−Ｌ２プロトコルマッピング部１７、パケット終端部１８、及び回線終端部１９を有する。回線終端部１９は、回線２０に接続される。
【００１４】
Ｌ２終端部１６は、レイヤ２のＬ２コネクション番号から検索した固定長のスイッチング識別子を、パケットに付加し、また、スイッチ部１１から到着したパケットに付与されている固定長のスイッチング識別子を、削除する。また、回線部１４から出力されるパケットに対し、固定長の識別子から検索した新しいＬ２コネクション番号に置き換える。
【００１５】
Ｌ３−Ｌ２プロトコルマッピング部１７は、レイヤ３のＬ３宛先アドレスから検索した、レイヤ２のＬ２コネクション番号を書き換える。また、マッピング設定用パケットにより、レイヤ２のＬ２コネクション番号を書き換えるための、レイヤ３のＬ３宛先アドレスとレイヤ２のＬ２コネクション番号の組み合わせを、設定する。
【００１６】
パケット終端部１８は、回線終端部１９から受け取った連続したデータから区切りを見つけ出し、パケットに分割する。区切り出したパケットを、レイヤ２のＬ２コネクション番号によりスイッチング処理する場合は、Ｌ２終端部１６にパケットを送り出す。レイヤ３のＬ３宛先アドレスによりルーティングを行う場合は、Ｌ３−Ｌ２プロトコルマッピング部１７にパケットを送り出す。また、Ｌ２終端部１６から受け取ったパケットを、パケットの区切りデータを挿入しながら、連続データとして回線終端部１９に送り出す。
【００１７】
回線終端部１９は、物理的な信号の終端、即ち、光や電気の信号の論理的な信号への変換を行い、連続した論理データをパケット終端部１８に送り出す。また、パケット終端部１８から受け取った連続したデータを物理的な信号に変換して、回線２０に送信する。
【００１８】
図３は、ルーティング・プロトコル用パスの設定例を示す説明図である。図３に示すように、ルーティング・プロトコル用パスａは、回線部１４において受信したルーティング・プロトコル用のパケットを、ルーティングプロセッサ部１３に送るためのパスである。ルーティング・プロトコル用パスｂは、ルーティングプロセッサ部１３で生成されたルーティング・プロトコル用のパケットを、回線部１４に送るためのパスである。
【００１９】
コネクションレス型プロトコルであるレイヤ３のＬ３宛先アドレスをもとに、パケットのルーティングを行うためには、レイヤ３のＬ３宛先アドレスと出力回線番号を対応させたルート情報の管理が必要になる。そのため、ルーティングプロセッサ部１３は、ルーティング・プロトコルを処理することにより、ルート情報を生成する。
【００２０】
図４は、マッピング設定用パスの設定例を示す説明図であり、図５は、マッピング設定用パケットの例を示す説明図である。図４に示すように、回線部１４のＬ３−Ｌ２プロトコルマッピング部１７（図２参照）は、コネクションレス型レイヤ３のパケットのＬ３宛先アドレスから、該当パケットのルートを決定する。そのため、Ｌ３−Ｌ２プロトコルマッピング部１７に対し、ルーティングプロセッサ部１３で管理しているルート情報を通知する必要がある。
【００２１】
マッピング設定用パスｃ，ｄ，ｅは、ルーティングプロセッサ部１３で管理しているルート情報を、スイッチ部１１を経由して回線部１４へ送り出すために設定される。このルート情報に、図５に示すマッピング設定用パケットＰ１が流れる。
【００２２】
次に、回線２０から入力されるデータパケットの流れを説明する。図６は、回線部に受信されたデータのパケットの例を示す説明図であり、図７は、Ｌ２終端部に到着したデータのパケットの例を示す説明図である。
【００２３】
回線２０から回線部１４に受信されたデータは、回線終端部１９を経たパケット終端部１８において、図６に示す構造を有するパケットＰ２になる。このパケットＰ２が、パケット終端部１８において、レイヤ２によりスイッチングするパケットであると判断された場合、Ｌ２終端部１６に送り出され、レイヤ３によりルーティングされるパケットであると判断された場合、Ｌ３−Ｌ２プロトコルマッピング部１７に送り出される。
【００２４】
Ｌ３−Ｌ２プロトコルマッピング部１７に到着したパケットＰ２は、パケットＰ２のＬ３宛先アドレスからレイヤ２のコネクションが検索され、Ｌ２コネクション番号に書き換えられる。その後、Ｌ３−Ｌ２プロトコルマッピング部１７からＬ２終端部１６に送り出され、Ｌ２終端部１６に到着したパケットＰ２は、Ｌ２コネクション番号により検索されるスイッチング識別子が付加され、図７に示す構造のパケットＰ３になる。付加されるスイッチング識別子は、スイッチ部１１でスイッチングするために用いられる。
【００２５】
スイッチ部１１では、入力したパケットＰ３（図７参照）に付加されたスイッチング識別子に基づきスイッチングを行い、該当する回線部１４に送り出す。スイッチ部１１から受け取ったパケットＰ３は、回線部１４のＬ２終端部１６において、パケットＰ２（図６参照）に置き換えられる。該当パケットは、Ｌ２終端部１６からパケット終端部１８を経て、回線終端部１９からデータとして回線２０に出力される。
【００２６】
コネクション型のレイヤ２のプロトコルとしては、非同期転送モード（ａｓｙｎｃｈｒｏｎｏｕｓ  ｔｒａｎｓｆｅｒ  ｍｏｄｅ：ＡＴＭ）やフレームリレーの技術が考えられる。ＡＴＭは、パケットが固定長のセルになっており、ハードスイッチングに適したプロトコルである。また、ＡＴＭでは、Ｌ２コネクション番号がＶＰＩ（ｖｉｒｔｕａｌ  ｐａｔｈ  ｉｄｅｎｔｉｆｉｅｒ）／ＶＣＩ（ｖｉｒｔｕａｌ  ｃｈａｎｎｅｌ  ｉｄｅｎｔｉｆｉｅｒ）により与えられる。
【００２７】
コネクションレス型のレイヤ３のプロトコルとしては、ＩＰ（ｉｎｔｅｒｎｅｔ  ｐｌｏｔｏｃｏｌ）が考えられる。ＩＰには、ＲＩＰ（ｒｏｕｔｉｎｇ  ｉｎｆｏｒｍａｔｉｏｎ  ｐｒｏｔｏｃｏｌ）、ＯＳＰＦ（ｏｐｅｎ  ｓｈｏｒｔｅｓｔ  ｐａｔｈ  ｆｉｒｓｔ）、ＩＳＩＳ（ｉｎｔｅｒｍｅｄｉａｔｅ  ｓｙｓｔｅｍ  ｔｏ  ｉｎｔｅｒｍｅｄｉａｔｅ  ｓｙｓｔｅｍ）、ＢＧＰ（ｂｏｒｄｅｒ  ｇａｔｅｗａｙ  ｐｒｏｔｏｃｏｌ）４等のルーティング・プロトコルが存在しており、ルート情報の管理に優れている。
【００２８】
次に、上記構成を有するルート情報設定装置１０の動作を説明する。先ず、ルーティングプロセッサ部１３において、ルーティング・プロトコルを処理した結果、新たなＬ３宛先アドレスと出力回線番号の組み合わせが発生したとき、回線部１４へルート情報を反映させる。
【００２９】
ルーティングプロセッサ部１３は、マッピング設定用パケットＰ１（図５参照）を生成する。このパケットＰ１は、レイヤ３のＬ３宛先アドレスと出力回線番号を組み合わせて形成される。マッピング設定用パケットＰ１と他のマッピング設定用パケットＰ１とを区別するため、情報識別番号を付加する。また、このパケットＰ１を複数の回線部１４とメインプロセッサ部１２に送り付けるため、スイッチ部１１で、マッピング設定用パスのスイッチング識別番号をパケットＰ１に付加する。
【００３０】
このパケットＰ１は、ルーティングプロセッサ部１３に出力され、スイッチ部１１において複製された後、スイッチ部１１から、スイッチング識別子に従い全ての回線部１４及びメインプロセッサ部１２に送り出される。回線部１４で受け取られたパケットＰ１は、Ｌ２終端部１６においてスイッチング識別子を除かれ、Ｌ３−Ｌ２プロトコルマッピング部１７に送り出される。
【００３１】
送り出されたＬ３−Ｌ２マッピング部１７において、受け取ったマッピング設定用パケットＰ１の情報をもとにルート情報の設定を行い、ルーティングにおいての検索キーとして、Ｌ３アドレスを設定する。この検索キーは、データパケットのルーティングにおいてＬ３宛先アドレスをもとに検索を行う場合、使用される。
【００３２】
また、出力回線番号をもとにＬ２コネクション番号を設定する。このＬ２コネクション番号は、Ｌ３−Ｌ２プロトコルマッピング部１７において、データパケットＰ２（図６参照）のＬ３宛先アドレスによるルート検索後に、データパケットＰ２のＬ２コネクション番号として書き換えられる。設定されたＬ２コネクション番号は、回線部１４のＬ２終端部１６において設定されている該当出力回線へスイッチングするスイッチング識別子を付加される、データパケットＰ２のＬ２コネクション番号を示している。Ｌ２コネクション番号と出力回線番号の対応情報については、メインプロセッサ部１２が回線部１４のＬ２終端部１６に対しスイッチ部１１でのスイッチング経路を設定する際、同時に、Ｌ３−Ｌ２プロトコルマッピング部１７に設定する。
【００３３】
また、該当する出力回線番号へのＬ２コネクション番号が設定されていないときは、ＮＵＬＬ（空白）情報を設定しておき、該当するＬ２コネクション番号が設定されるのを待つ。このとき、メインプロセッサ部１２と情報を共有するために、マッピング設定用パケットＰ１の情報識別番号を検索キーとして持つ。
【００３４】
続いて、メインプロセッサ部１２においてマッピング設定用パケットＰ１を受信したとき、メインプロセッサ部１２においては、全てのコネクションのスイッチング情報は管理されているため、マッピング設定用パケットＰ１の出力回線番号から、該当するコネクションが設定されているかどうかを判断することができる。
【００３５】
従って、該当するコネクションが設定されていないときには、回線部１４のＬ２終端部１６に対し、新たにコネクションのスイッチング情報を設定する。このとき、Ｌ３−Ｌ２プロトコルマッピング部１７に対し、情報識別番号をもとにＬ２終端部１６で終端されるＬ２コネクション番号を設定する。
【００３６】
このように、この発明によれば、ルート情報は、統括してシステムを管理するメインプロセッサ部に１２より設定されるのではなく、ルート情報を管理するルーティングプロセッサ部１３から送信したパケットにより設定される。
【００３７】
この結果、メインプロセッサ部１２を介在することなく、ルート情報を更新することができるため、高速にルート情報を反映させることができる。また、メインプロセッサ部１２とルーティングプロセッサ部１３との間でプロセッサ間通信を行う必要がないため、メインプロセッサ部１２とルーティングプロセッサ部１３で行う処理を削減することができる。更に、新たにコネクションレス型レイヤ３のためのコネクション設定が発生しても、情報識別番号を使用するために処理を簡略化することができる。
【００３８】
【発明の効果】
以上説明したように、この発明によれば、スイッチ部、メインプロセッサ部、ルーティングプロセッサ部、及び複数の回線部からなる回線部群を有する、コネクション型レイヤ２のスイッチングシステムにおけるルート情報設定方法において、先ず、ルーティングプロセッサ部において、ルーティング・プロトコルを処理した結果、新たなＬ３宛先アドレスと出力回線番号の組み合わせが発生したとき、ルーティングプロセッサ部が、情報識別番号及びマッピング設定用パスのスイッチング識別番号を付加し、レイヤ３のＬ３宛先アドレスと出力回線番号を組み合わせてマッピング設定用パケットを生成する。次に、マッピング設定用パケットが、スイッチ部において複製された後、スイッチ部から、スイッチング識別子に従い全ての回線部及びメインプロセッサ部に送り出され、回線部で受け取られたパケットは、Ｌ２終端部においてスイッチング識別子を除かれ、Ｌ３−Ｌ２プロトコルマッピング部に送り出される。次に、Ｌ３−Ｌ２マッピング部において、受け取ったマッピング設定用パケットの情報をもとにルート情報の設定を行い、ルーティングにおいての検索キーとして、Ｌ３アドレスを設定する処理と、出力回線番号をもとに、Ｌ３−Ｌ２プロトコルマッピング部において、データパケットのＬ３宛先アドレスによるルート検索後に、データパケットのＬ２コネクション番号として書き換えられる、回線部のＬ２終端部において設定されている該当出力回線へスイッチングするスイッチング識別子が付加された、Ｌ２コネクション番号を設定する。次に、該当する出力回線番号へのＬ２コネクション番号が設定されていないときは、ＮＵＬＬ情報を設定しておき、メインプロセッサ部と情報を共有するためにマッピング設定用パケットの情報識別番号を検索キーとして持って、該当するＬ２コネクション番号が設定されるのを待つ。次に、メインプロセッサ部においてマッピング設定用パケットを受信したとき、マッピング設定用パケットの出力回線番号から、該当するコネクションが設定されているかどうかを判断し、該当するコネクションが設定されていない場合、回線部のＬ２終端部に対する新たなコネクションのスイッチング情報、及びＬ３−Ｌ２プロトコルマッピング部に対する情報識別番号に基づくＬ２終端部で終端されるＬ２コネクション番号をそれぞれ設定するので、メインプロセッサ部に処理が集中するのを回避して、メインプロセッサ部の能力低下を招かず処理速度を低下させることがない。
【００３９】
また、この発明に係るルート情報設定装置により、上記ルート情報設定方法を実現することができる。
【図面の簡単な説明】
【図１】この発明の実施の形態に係るルート情報設定装置の構成を示すブロック図である。
【図２】図１の回線部の構成を示すブロック図である。
【図３】ルーティング・プロトコル用パスの設定例を示す説明図である。
【図４】マッピング設定用パスの設定例を示す説明図である。
【図５】マッピング設定用パケットの例を示す説明図である。
【図６】回線部に受信されたデータのパケットの例を示す説明図である。
【図７】Ｌ２終端部に到着したデータのパケットの例を示す説明図である。
【符号の説明】
１０  ルート情報設定装置
１１  スイッチ部
１２  メインプロセッサ部
１３  ルーティングプロセッサ部
１４  回線部
１４ａ  回線部群
１５  プロセッサバス
１６  Ｌ２終端部
１７  Ｌ３−Ｌ２プロトコルマッピング部
１８  パケット終端部
１９  回線終端部
２０  回線
ａ，ｂ  ルーティング・プロトコル用パス
ｃ，ｄ，ｅ  マッピング設定用パス
【図１】
0003552638.tif 000002
【図２】
0003552638.tif 000003
【図３】
0003552638.tif 000004
【図４】
0003552638.tif 000005
【図５】
0003552638.tif 000006
【図６】
0003552638.tif 000007
【図７】
0003552638.tif 000008